(57)【要約】【課題】  意匠的工夫の範囲が広く、外観体裁に優れた外カバーを備えたレンズ付フィルムユニットを提供する。【解決手段】  未露光写真フィルムが装填されるとともに、被写体像撮影用操作部と、撮影レンズとを少なくとも備えたユニット本体と、このユニット本体に関する所要の情報が印刷され、且つユニット本体の一部を覆う紙カバーと、透明フィルムにより形成され、前記撮影用操作部、撮影レンズのいずれか又は双方に相当する領域にこれら部分を視認不可とする印刷部が施された状態で、前記ユニット本体の外周及び前記紙カバーを外部より視認可能に覆う外装包材と、を有するレンズ付フィルムユニット。【選択図】        図８
2007206664.tif 000002
【特許請求の範囲】
【請求項１】
未露光写真フィルムが装填されるとともに、被写体像撮影用操作部と、撮影レンズとを少なくとも備えたユニット本体と、
このユニット本体に関する所要の情報が印刷され、且つユニット本体の一部を覆う紙カバーと、
透明フィルムにより形成され、前記撮影用操作部、撮影レンズのいずれか又は双方に相当する領域にこれら部分を視認不可とする印刷部が施された状態で、前記ユニット本体の外周及び前記紙カバーを外部より視認可能に覆う外装包材と、
を有することを特徴とするレンズ付フィルムユニット。
【請求項２】
前記撮影用操作部は、ユニット本体に設けたレリーズボタン、巻き上げノブ、ストロボスイッチから選ばれる少なくとも1つであることを特徴とする請求項１に記載のレンズ付フィルムユニット。
【請求項３】
前記外装包材はユニット本体及び紙カバーを覆う折り込み処理及び溶着処理を行なって形成される包装溶着部と、更に密封する包装溶着部とを有し、前者の包装溶着部をユニット本体の裏面側とした状態で、前記ユニット本体及び紙カバーを被覆していることを特徴とする請求項１又は２に記載のレンズ付フィルムユニット。
【請求項４】
前記外装包材の包装溶着部が切口と該切口を視認し易くする印刷部を有することを特徴とする請求項１乃至請求項３の何れか１項に記載のレンズ付フィルムユニット。
【発明の詳細な説明】
【技術分野】
【０００１】
本発明は、未露光のロール状写真フィルムが予め装填され、撮影用露光機能を備えたレンズ付フィルムユニット（フィルム一体型カメラ）に関し、特にその外カバー及び外装包材を改良したレンズ付フィルムユニットに関するものである。
【背景技術】
【０００２】
簡易に写真を撮りたいようなときに便利なものとして、レンズ付フィルムユニットが普及している。これは、少くとも撮影レンズとシャッタとを備えたユニット本体内に、予めパトローネと未露光フィルムとが装填されたもので、巻き上げノブやレリーズボタン等を操作して未露光フィルムに被写体像を露光するものであり、フィルム販売店等で広く市販されている。このようなレンズ付フィルムユニットにおいて、ユニット本体を保護するために紙製でブック型に形成した紙カバー（外箱）や、運搬や販売の便宜のための前記ユニット本体の外周全体を覆う外装包材が付加されている。
従来のレンズ付フィルムユニットの紙カバーの材料としては、例えばコート紙等が使用されている。
また、従来のレンズ付フィルムユニットの外装包材としては、アルミニウム層入り非透明包装フィルムや全体が透明合成樹脂製の包装フィルム等が使用されている。
【０００３】
レンズ付フィルムユニットの包装方法としては、特許文献１に記載される、フィルムカウンタ窓部、ファインダ窓部、撮影レンズ配置部等に開口を設けた外装用のプラスチック製ラベルでユニット本体を一部覆い、ユニットの前面側に機能表示を設けた紙製のスペーサシートを被せ、その上に外観デザインを現すデザイン表示を設けた紙製のカードを乗せて、ユニット本体をスペーサシート及びカードごと、デザイン表示部分に対応して透明部を設けたプラスチック製のシート材で密封してピロー包装し、カードのデザイン表示を外部から観察できる様にして、カードのデザイン表示を変更するだけで外観の異なる包装形態とするものが知られている。
【０００４】
【特許文献１】特開平１０−３０７３７０号公報
【発明の開示】
【発明が解決しようとする課題】
【０００５】
しかしながら、従来のレンズ付フィルムユニットの紙カバーの場合、表面もほぼ全体に印刷を施したコート紙等で形成されているため、紙自身の有する質感、風合いを利用していなかった。
また、コート紙以外の紙を用いた紙カバーの場合、吸湿により紙カバー自体の質が劣化することがあり、保管の面でも問題があった。
また、従来のレンズ付フィルムユニットの外装包材の場合においては、例えば非透明包装フィルムを用いた場合には、ユーザが外装包材内に収納されているレンズ付フィルムユニットの外観デザインや、意匠等を外装包材の外部から確認することは難しいという問題があった。
他方、外装包材として透明合成樹脂製の包装フィルムを用いた場合には、レンズ付フィルムユニットの外観全体が外部から視認可能であるため、店頭陳列時等に心無いユーザによるいたずらや誤操作によって、レリーズボタン、巻き上げノブ、ストロボスイッチ等が操作されてしまい、このレンズ付フィルムユニットの購入者が自ら撮影を行う前に全く関係のない被写体像が写真フィルムに露光されてしまっているという問題が生じ購入者に不利益を与えとしまうという問題があった。
本発明は、上記事情に鑑みてなされたものであり、外カバー及び外装包材の構成を改良し、意匠的工夫の範囲が広く、外観体裁に優れ、表面の印刷部の保護が図れ、保管性にも富んだ外カバーを備えたレンズ付フィルムユニット及び意匠的工夫の範囲が広く、また、いたずらや誤操作のおそれを少なくして購入者に不利益を及ぼすことのないレンズ付フィルムユニットを提供するものである。
【課題を解決するための手段】
【０００６】
本発明は、以下の構成を有することを特徴とする。
（１）未露光写真フィルムが装填されるとともに、被写体像撮影用操作部と、撮影レンズとを少なくとも備えたユニット本体と、このユニット本体に関する所要の情報が印刷され、且つユニット本体の一部を覆う紙カバーと、透明フィルムにより形成され、前記撮影用操作部、撮影レンズのいずれか又は双方に相当する領域にこれら部分を視認不可とする印刷部が施された状態で、前記ユニット本体の外周及び前記紙カバーを外部より視認可能に覆う外装包材と、を有するレンズ付フィルムユニット。
（２）前記撮影用操作部は、ユニット本体に設けたレリーズボタン、巻き上げノブ、ストロボスイッチから選ばれる少なくとも1つである（１）のレンズ付フィルムユニット。
（３）前記外装包材はユニット本体及び紙カバーを覆う折り込み処理及び溶着処理を行なって形成される包装溶着部と、更に密封する包装溶着部とを有し、前者の包装溶着部をユニット本体の裏面側とした状態で、前記ユニット本体及び紙カバーを被覆している（１）又は（２）のレンズ付フィルムユニット。
（４）前記外装包材の包装溶着部が切口と該切口を視認し易くする印刷部を有する（１）乃至（３）の何れかのレンズ付フィルムユニット。
【発明の効果】
【０００７】
この発明によれば、ユニット本体の外周と、このユニット本体に関する所要の情報が印刷され、且つユニット本体の一部を覆う紙カバーとを、透明フィルムにより形成され、かつ前記撮影用操作部、撮影レンズのいずれか又は双方に相当する領域にこれら各部を視認不可とする印刷部が施された状態の外装包材により覆っているので、外装包材の意匠的工夫の範囲が広く、また、いたずらや誤操作のおそれを少なくして購入者に不利益を及ぼすことのないレンズ付フィルムユニットを提供することができる。
【０００８】
また、前記撮影用操作部がユニット本体に設けたレリーズボタン、巻き上げノブ、ストロボスイッチから選ばれる少なくとも一つであることで、レリーズボタン、巻き上げノブ又はストロボスイッチに対するいたずらや誤操作のおそれを少なくして購入者に不利益を及ぼすことのないレンズ付フィルムユニットを提供することができる。
【０００９】
更に、ユニット本体及び紙カバーを覆う折り込み処理及び溶着処理を行なって形成される外装包材の包装溶着部をユニット本体の裏面側としているので、ユニット本体の表面側には包装溶着部が存在せず、これにより、レンズ付フィルムユニット自体の外観体裁を向上でき、かつ、ユニット本体の表面側の視認性を良好にすることができる。
【００１０】
また外装包材の包装溶着部に切口と該切口を視認し易くする印刷部を設けることで切口の位置を直ちに判別できユーザの便宜を図れる。
【発明を実施するための最良の形態】
【００１１】
以下は実施形態である。
（１）ユニット本体の一部を覆う紙カバーをクラフト紙を含む素材により形成することで、意匠的工夫の範囲が広く、質感、風合いというような外観体裁にも優れたレンズ付フィル  ムユニットを提供することができる。
（２）紙カバーの表面に表面保護層を塗布することにより、表面の保護が図れ、吸湿を防止して外観体裁を維持でき、保管性にも優れたレンズ付フィルムユニットを提供することができる。
（３）前記表面保護層を紙カバーの糊代を除く表面に塗布することにより、糊による接着強度を増すことができる。
（４）前記紙カバーに前記ユニット本体に関する所要の情報が印刷することにより、前記表面保護層により所要の情報の印刷部の保護、吸湿防止が図れ、保管性にも優れたレンズ  付フィルムユニットを提供することができる。
（５）レーザマーカによる所要の情報の印字部が表示することにより、特にレーザマーカを使用するという簡略な手段で所要の印刷情報のうち文字情報の印刷処理の簡略化を図れ  る。
（６）前記紙カバーの前面側には、印刷が施さないことにより、紙カバーの前面側において紙カバーの質感や風合いを出すことができる。
以下、本発明に係るレンズ付フィルムユニットの実施の形態を図面を参照して詳述する。
図１乃至図５は、ユニット本体とその一部を覆う紙カバーの実施形態を示すものであ  る。
【００１２】
図１は、ユニット本体とその一部を覆う紙カバーの外観を示す斜視図であり、略直方体形状のユニット本体１０と、クラフト紙を含む素材により形成した紙カバー（外箱）３０とにより構成される。クラフト紙ユニット本体１０の前面（表面）側には、
図２はユニット本体１０の平面図、図３は紙カバー３０の中央横断面図、図４は紙カバー３０の展開図、図５はユニット本体１０及び紙カバー３０の概略分解斜視図である。
【００１３】
外方に突出した概略長方形状のレンズマウント１１に組み込まれた撮影レンズ１２、ファインダ窓１３、ストロボ発光器１４が組み込まれ、上面側にはシャッタ用のレリーズボタン１５、フィルムカウンター窓１６、ストロボ充電パイロットランプ１７が組み込まれ、さらに背面（裏面）側にはフィルムＦの巻上げノブ１８、ファインダアイピース１９、裏蓋２０が設けられている。とは、化学パルプの一種であるクラフト蒸解法によるパルプにより作られた紙である。
紙カバー３０は、クラフト紙を含む素材により形成され、図４に示すように折り曲げ部が形成され、さらに図４にクロス斜線を付して示す糊代３６ａ乃至３６ｄに糊を付けて組み立てることにより、ブックケース状に形成したものある。
また、紙カバー３０の前記ユニット本体１０の各要素と対応する位置には貫通した透孔（３２，３３，３４，３５，３６，３７）が穿設されている。これら透孔（３２，３３，３４，３５，３６，３７）に対して、レンズマウント１１、ファインダ窓１３、ストロボ発光器１４、フィルムカウンター窓１６、ストロボ充電パイロットランプ１７、ファインダアイピース１９等を突出又は露出させている。
即ち、ユニット本体１０の表面を覆う前記紙カバー３０の前面側３１には、レンズマウント１１を突出させるための大きな透孔３２、ファインダ窓１３を透視可能にする透孔３３、ストロボ発光器１４及びストロボスイッチ１４Ａを露出するための透孔３４等が穿設されている。
また、前記紙カバー３０には、図５に示すように、前記ユニット本体１０に関する所要の情報、即ちユニット本体１０による撮影方法、ストロボ発光器１４の使用方法、注意事項等が印刷されている。尚、この例では、前面側３１は紙の質感や風合いを出すために印刷を行っていない。
さらに、印刷された前記紙カバー３０は、図４に示すように、その表面の糊代３８ａ乃至３８ｄを除く各面に表面保護層４１が塗布されている。これは、糊代３８ａ乃至３８ｄを接着する際の接着強度を増すためである。尚、接着強度が十分確保できる場合には、前記糊代３８ａ乃至３８ｄにも表面保護層４１を設けてもよい。
表面保護層４１としては、例えば通常のニスよりも薄いマットニスを用いている。
また、前述した所要の情報のうち、有効期限やバーコードナンバー等の定期的に変更される文字情報の印字部に関しては、ユニット本体１０に紙カバー３０を装着後、例えば図６に示すように、レーザマーカ４０によるレーザ光の照射により印字処理を行う。尚、定期的に変更される文字情報以外の文字情報についても、レーザ光の照射による印字を行ってもよい。
この実施形態によれば、ユニット本体１０を収納する紙カバー３０がクラフト紙を含む素材により形成されているので、質感、風合いというような外観体裁にも優れたレンズ付フィルムユニットを得ることができる。
また、紙カバー３０の表面には、表面保護層４１が塗布されていることから、紙カバー３０の表面の保護が図れ、吸湿を防止して外観体裁を長期間に亘って維持でき、レンズ付フィルムユニットの長期の保管にも対応できる。
さらに、前記紙カバーにおける前記ユニット本体１０に関する所要の情報の印刷部も表面保護層４１により保護されるので、吸湿を防止して印刷情報の明確性を維持できる。
さらに、表面保護層４１を例えば通常のニスよりも光沢がより少なくいマットニスで形成することにより、紙自身が持つ質感や風合いを損なうこと無く表面の保護及び吸湿防止を図ることができる。
また、レーザマーカ４０を使用するという簡略な手段により、印刷情報のうちの定期的に変更される文字情報を表示でき、その分印刷処理の簡略化を図れる。
図８乃至図１２は、本発明の実施形態のレンズ付フィルムユニットを示すものである。
本発明のレンズ付フィルムユニットは、上述したユニット本体１０及び紙カバー３０の構成に、透明フィルムにより形成され、前記ユニット本体１０及び紙カバー３０の外周全体を覆う外装包材５０を付加したことが特徴である。
外装包材５０の材質は、ＰＥＴ（ポリエチレンテレフタレート）フィルムにセラミックを蒸着しＰＥＴ自体よりも対湿性を向上させた透明フィルムを使用するものである。
また、前記外装包材５０における前記ストロボスイッチ１４Ａに相当する部分には、図８に示すように、外部からストロボスイッチ１４Ａを視認不可とする印刷部５５を設けている。印刷部５５には例えば「レンズ付フィルムユニット、２４枚撮り」等の印字を施している。この他、レンズ付フィルムユニットの価格や製造番号等を文字により又はバーコードの形態で付すことも可能である。
前記外装包材５０によるユニット本体１０及び紙カバー３０の包装は、図９、図１０に示すように、前記外装包材５０の長手方向に延びる包装溶着部５０ａをユニット本体１０の裏面側（即ち、撮影レンズ１２とは反対側）となるように外装包材５０の折り込み処理及び溶着処理を行って、これらユニット本体１０及び紙カバー３０全体を被覆している。また、外装包材５０の短辺は、包装溶着部５０ｂにより溶着されている。
本実施の形態のレンズ付フィルムユニットによれば、前記外装包材５０を既述したような対湿性に優れた透明フィルムにより形成し、表面側の撮影レンズ１２等が包装溶着部５０ａにより覆われることがないようにしているので、ユニット本体１０の見栄えがよく、また、意匠的工夫の範囲が広くなるという利点がある。
また、前記印刷部５５により前記ストロボスイッチ１４Ａに相当する部分を隠しているので、ストロボスイッチ１４Ａのいたずらや誤操作のおそれを少なくして購入者に不利益を及ぼすことを回避できる。
前記印刷部５５の配置は、図８に示す場合の他、撮影レンズ１２の前や、図１１に示すように巻上げノブ１８を覆う配置、図１２に示すようにレリーズボタン１５を覆う配置としてもよく、いずれの場合も巻上げノブ１８やレリーズボタン１５に対する本来不要ないたずらを回避し、また誤操作のおそれを少なくして、購入者に従来例で述べたような不利益を及ぼすことを回避できる。
前記ユニット本体１０及び紙カバー３０の裏面側には包装溶着部５０ａが表出するので、紙カバー３０の裏面側又は側面側に施す例えば製造番号や有効期限等の印刷又は印字処理を、包装溶着部５０ａや包装溶着部５０ｂにより覆われない位置として見易くすることで、商品管理の便宜を図り、ユーザに対するサービス性を向上できる。
また、印字を２段配置とすることで、小スペースに印字することができる。
図１３は本実施形態の応用例を示すものであり、外装包材５０における前記巻上げノブ１８に相当する位置に、ウェットティシュ用袋のような小サイズの繰り返し貼り付け剥離ができるシール片６０を貼り付けて巻上げノブ１８を覆い、撮影を行いたい時にシール片６０を剥がして巻上げノブ１８を露出させて回転操作することで、ユニット本体１０を外装包材５０に収納したままでこのレンズ付フィルムユニットによる撮影を実行可能にしたものである。これにより、例えば雨天時の屋外等においても撮影レンズ１２を濡らすことなく風景や人物を撮影できる。
また、図１４に示すように、外装包材５０における前記巻上げノブ１８に相当する位置に破断可能な破断片６１を設けておき、撮影を行いたい時に破断片６１を破って巻上げノブ１８を露出させて回転操作することで、ユニット本体１０を外装包材５０に収納したままでこのレンズ付フィルムユニットによる撮影を実行可能することも可能である。このようにしても、例えば雨天時の屋外等においても撮影レンズ１２を濡らすことなく風景や人物を撮影できる。
さらに、図１１に示すように、外装包材５０の開封の便宜のために、包装溶着部５０ｂの一部に印刷部５０ｃを設け、この印刷部５０ｃに切口５０ｄを形成することにより、切口５０ｄを視認し易くすることができる。
以上説明したように、本発明によれば、意匠的工夫の範囲が広く、質感、風合いというような外観体裁にも優れ、さらには表面及び印刷部の吸湿を防止して保管性にも優れたレンズ付フィルムユニットを提供することができる。
また、本発明によれば、外装包材の意匠的工夫の範囲が広く、外観体裁も良好であり、また、いたずらや誤操作のおそれを少なくして購入者に不利益を及ぼすことのないレンズ付フィルムユニットを提供することができる。
【図面の簡単な説明】
【００１４】
【図１】本発明に係るレンズ付フィルムユニット本体と紙カバーを示す斜視図である。
【図２】本発明に係るレンズ付フィルムユニット本体の平面図である。
【図３】本発明に係る紙カバーの中央横断面図である。
【図４】本発明に係る紙カバーの展開図である。
【図５】本発明のレンズ付フィルムユニットにおけるユニット本体及び紙カバーの概略分解斜視図である。
【図６】本発明に係る紙カバーの部分拡大断面図である。
【図７】本発明に係る紙カバーに対するレーザマーカによる印字処理を示す概略図である。
【図８】本発明の実施形態のレンズ付フィルムユニットを示す斜視図である。
【図９】本発明の実施形態のレンズ付フィルムユニットを裏面側から見た斜視図である。
【図１０】本発明の実施形態の外装包材による包装工程の概略図である。
【図１１】本発明の実施形態の外装包材の巻上げノブの位置に印刷部を設けたレンズ付フィルムユニットを示す斜視図である。
【図１２】本発明の実施形態の外装包材のレリーズボタンの位置に印刷部を設けたレンズ付フィルムユニットを示す斜視図である。
【図１３】本発明の実施形態のレンズ付フィルムユニットの応用例を示す斜視図である。
【図１４】本発明の実施形態のレンズ付フィルムユニットの別の応用例を示す斜視図である。
【符号の説明】
【００１５】
１０  ユニット本体
１１  レンズマウント
１２  撮影レンズ
１３  ファインダ窓
１４  ストロボ発光器
１４Ａ  ストロボスイッチ
１５  レリーズボタン
１８  巻上げノブ
２０  裏蓋
３０  紙カバー（外箱）
３１  前面側
４０  レーザマーカ
５０  外装包材
５０ａ  包装溶着部
５５  印刷部
６０  シール片
６１  破断片
Ｆ  フィルム
【図１】
2007206664.tif 000003
【図２】
2007206664.tif 000004
【図３】
2007206664.tif 000005
【図４】
2007206664.tif 000006
【図５】
2007206664.tif 000007
【図６】
2007206664.tif 000008
【図７】
2007206664.tif 000009
【図８】
2007206664.tif 000010
【図９】
2007206664.tif 000011
【図１０】
2007206664.tif 000012
【図１１】
2007206664.tif 000013
【図１２】
2007206664.tif 000014
【図１３】
2007206664.tif 000015
【図１４】
2007206664.tif 000016